(57)【要約】【課題】パラパラ用紙が何枚かまとまって捲れてしまったりすることもなく、誰でも簡単に、かつ安価な構成でパラパラアニメーションを楽しむことができる。【解決手段】パラパラ捲りのホルダーのＯリング固定用切込みを複数箇所設け、Ｏリングの固定位置を変えることでパラパラ捲りホルダーの後方壁の形状を変えられるように構成した。【選択図】        図１
2004181764.tif 000002
【特許請求の範囲】
【請求項１】
Ｏリング固定用の切り込みを複数箇所設けたことを特徴とするパラパラ捲りホルダー。
【請求項２】
Ｏリング固定用の切り込みを片側のみ複数箇所設け、もう一方の側は１箇所のみ設けたことを特徴とする請求項１記載のパラパラ捲りホルダー。
【請求項３】
Ｏリングの固定位置を変えることでパラパラ捲りホルダーの後方壁の形状を変えられることを特徴とする請求項１記載のパラパラ捲りホルダー。
【請求項４】
塩ビのような柔軟性を持った素材からできていることを特徴とする請求項１記載のパラパラ捲りホルダー。
【発明の詳細な説明】
【０００１】
【発明の属する技術分野】
本発明は、パラパラアニメーションを楽しむためのパラパラ捲りホルダーに関する。
【０００２】
【従来の技術】
従来、パラパラアニメーションを楽しむ場合には、図６に示すようにパラパラ用紙１０の絵や画像のある部分から離れた方の端部をクリップ２０で挟んだり（Ａ）、輪ゴムやＯリング２１で止めたり（Ｂ）、端部２２をノリ付けしたり（Ｃ）して固定し、図７に示すようにパラパラ用紙１０を少し折り曲げた上で親指２３の先端や爪先でパラパラ用紙１０の絵や画像のある側の先端部をＦ方向に滑らすことにより行なっていた。
【０００３】
【発明が解決しようとする課題】
しかしながら、上述の従来例においては、うまく親指の先端や爪先でパラパラ用紙の先端部を滑らすことが出来ず、パラパラ用紙が１枚ずつぱらぱらと捲れるのではなく、何枚かまとまって捲れてしまったりして、見たいようなアニメーションにはならず不都合を感じることがあった。
【０００４】
また、実開平０４−６０２９９号公報に示されるように、ホルダーを設けてパラパラ用紙保持部後方壁を傾斜させた場合にも、傾斜角度が固定されているため使用する人によっては、パラパラ用紙が１枚ずつぱらぱらと捲れるのではなく、何枚かまとまって捲れてしまったり、また、ホルダーが高価なものとなってしまい不都合を感じることがあった。
【０００５】
本発明は、上述事情に鑑みてなされたものであり、誰でも簡単に、かつ安価な構成でパラパラアニメーションを楽しむことができるパラパラ捲りホルダーを提供することを目的とするものである。
【０００６】
【課題を解決するための手段】
このため、本発明においては、パラパラ捲りホルダーのＯリング固定用切り込みを複数箇所設け、Ｏリングの固定位置を変えることでパラパラ捲りホルダーの後方壁の形状を変えられるように構成することにより、前記目的を達成しようとするものである。
【０００７】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【０００８】
＜実施の形態１＞
図１に、本発明に係わるパラパラ捲りホルダーの斜視図を示す。ここで、１はパラパラ捲りホルダー自身であり、塩ビ等の柔軟性を持った素材からできており、Ｏリング固定用の切り込みが捲りの先頭側に１ａａ、１ａｂ、１ａｃ、捲りの最後尾側に１ｂａが各々上下１ヶ所ずつ設けられ、さらに捲りの先頭側にはパラパラ用紙を捲り易くするための切り欠き１ｄが設けられている。
【０００９】
図２、図３、図４及び図５を用いて、パラパラ捲りホルダー１の使用方法を説明する。まず、図２は、Ｏリング２をパラパラ捲りホルダー１の切り込み１ａａと１ｂａに合わせて固定した場合であり、パラパラ用紙１０の後端を用紙１０挿入方向に対し直角状態になっているパラパラ捲りホルダー１の後方壁１ｃに合わせることで全体が小さくなっている状態である。これは、ポケット等に入れて持ち歩く際に有効な形態である。ここで、パラパラ捲りホルダー１の後方壁１ｃの巾はパラパラ用紙１０の厚みに対し少し余っているが、Ｏリング２で固定されているためパラパラ用紙１０が抜けたりするようなことはない。次に、図３は、Ｏリング２をパラパラ捲りホルダー１の切り込み１ａｂと１ｂａに合わせて固定した場合であり、パラパラ用紙１０の後端を最後尾側が飛び出すように傾けたパラパラ捲りホルダー１の後方壁１ｃに合わせることで、パラパラ用紙１０の先端部１０ａにおける用紙毎のズレ量が各々約Ｌｂ／ｎ（ｎ：パラパラ用紙１０の枚数）発生するようにしたものである。この状態のパラパラ用紙１０を図４に示すように、パラパラ捲りホルダー１ごと少し折り曲げてやることで用紙毎のズレ量は更に増し、スムーズに親指２３の先端や爪先でパラパラ用紙１０を１枚ずつぱらぱらと捲ることができるため、快適にパラパラアニメーションを楽しむことが可能となる。図５は、Ｏリング２をパラパラ捲りホルダー１の切り込み１ａｃと１ｂａに合わせて固定した場合であり、パラパラ用紙１０の後端を最後尾側が図３よりも更に飛び出すように傾けたパラパラ捲りホルダー１の後方壁１ｃに合わせることで、パラパラ用紙１０の先端部１０ａにおける用紙毎のズレ量が各々約Ｌｃ／ｎ（Ｌｃ＞Ｌｂ、ｎ：パラパラ用紙１０の枚数）発生するようにしたものである。この状態では図３の場合よりもズレ量が増えるため、図３の場合でもうまく捲れなかった人に対して、やり易さの選択を広げることができる。ここで、パラパラ捲りホルダー１の後方壁１ｃの巾はパラパラ用紙１０の厚みに対し少し狭いが、使用上は特に問題にならない。
【００１０】
＜実施の形態２＞
Ｏリング固定用の切り込みを捲りの先頭側は１箇所にして、捲りの最後尾側のみ複数箇所設けたとしても、同様の効果が得られる。
【００１１】
＜実施の形態３＞
ここで、Ｏリング２の替わりに輪ゴムやヒモ等を用いたとしてもかまわない。
【００１２】
【発明の効果】
以上説明したように、本発明によると、パラパラ捲りホルダーのＯリング固定用切り込みを複数箇所設け、Ｏリングの固定位置を変えることでパラパラ捲りホルダーの後方壁の形状を変えられるように構成したことにより、パラパラ用紙が何枚かまとまって捲れてしまったりすることもなく、誰でも簡単に、かつ安価な構成でパラパラアニメーションを楽しむことができる。
【図面の簡単な説明】
【図１】実施の形態１におけるパラパラ捲りホルダーの構成を示す斜視図である。
【図２】実施の形態１におけるパラパラ捲りホルダーの説明図である。
【図３】実施の形態１におけるパラパラ捲りホルダーの説明図である。
【図４】実施の形態１におけるパラパラ捲りホルダーの説明図である。
【図５】実施の形態１におけるパラパラ捲りホルダーの説明図である。
【図６】従来例におけるパラパラ捲りの説明図である。
【図７】従来例におけるパラパラ捲りの説明図である。
【符号の説明】
１  パラパラ捲りホルダー
１ａａ、１ａｂ、１ａｃ  パラパラ捲りホルダーの切り込み（先頭側）
１ｂａ  パラパラ捲りホルダーの切り込み（最後尾側）
１ｃ  パラパラ捲りホルダーの後方壁
１ｄ  パラパラ捲りホルダーの切り欠き
２  Ｏリング
１０  パラパラ用紙
１０ａ  パラパラ用紙の先端部
【図１】
2004181764.tif 000003
【図２】
2004181764.tif 000004
【図３】
2004181764.tif 000005
【図４】
2004181764.tif 000006
【図５】
2004181764.tif 000007
【図６】
2004181764.tif 000008
【図７】
2004181764.tif 000009